(57)【要約】      （修正有）【課題】磁石を表面側から吸着させることができ、壁面の損傷を伴わずに紙類の壁面上一時固定することのできる、磁性物吸着性板材を提供する。【解決手段】磁性物吸着性内外装材１００は、合成ゴム原料を用いた分散媒質２中に磁性体物質１が分散され、成形、固化されてなる磁性物吸着シート３に、木製単板等の意匠材２０が接着層を介して接着されている構成である。磁性体物質１としては、砂鉄やＦｅ３Ｏ４を好適に用いることができる。【選択図】図１−２
0003131414.tif 000002
【実用新案登録請求の範囲】
【請求項１】
ゴム製シート中に磁性体物質が分散されてなる磁性物吸着シートと、該磁性物吸着シートに接着された意匠材とからなり、該意匠材側から磁石を吸着可能であることを特徴とする、磁性物吸着性内外装材。
【請求項２】
前記磁性物吸着シートは、前記磁性体物質が分散したゴム原料をシート状に成形、固化してなるものであることを特徴とする、請求項１に記載の磁性物吸着性内外装材。
【請求項３】
前記磁性体物質は、鉄またはこれを含む化合物であることを特徴とする、請求項１または２に記載の磁性物吸着性内外装材。
【請求項４】
前記意匠材は木製板、木製板以外の木質製板材、ビニール製クロスまたは紙製クロスのいずれかであることを特徴とする、請求項１ないし３のいずれかに記載の磁性物吸着性内外装材。
【請求項５】
前記意匠材は厚さが０．５ｍｍ以下であることを特徴とする、請求項１ないし４のいずれかに記載の磁性物吸着性内外装材。
【請求項６】
前記意匠材の表面には、光触媒が設けられていることを特徴とする、請求項１ないし５のいずれかに記載の磁性物吸着性内外装材。
【請求項７】
前記意匠材には、香料が含浸されているか、または香料により処理されていることを特徴とする、請求項１ないし６のいずれかに記載の磁性物吸着性内外装材。
【考案の詳細な説明】
【技術分野】
【０００１】
本考案は磁性物吸着性板材に係り、特に、木質製等の板材表面に磁石等の磁性物を吸着させることができ、内装・外装用建材として用いることのできる磁性物吸着性板材に関するものである。
【背景技術】
【０００２】
従来、建材の表面近傍層に、特別な形状を備えた磁性粉体を混入させたり、あるいは建材の表面に複合磁性体シートを貼ることによって、電子機器間の電磁干渉防止を図る（特許文献１）等の技術的提案がなされている。
【０００３】
【特許文献１】特開平１０−９３２８３号公報「オフィス用建材」
【考案の開示】
【考案が解決しようとする課題】
【０００４】
さて、住宅やオフィスの室内壁面に、情報が記載された種々の形態の紙類やシート類−たとえばメモ、手紙・葉書・伝票類、チラシやパンフレット類など−、あるいはまた簡易な装飾用途の紙類やシート類を、画鋲等の壁面の損傷・消耗を伴うことなく一時的に、着脱可能に固定することができれば、大いに便利である。
【０００５】
本考案はかかる点に着目してなされたものであり、磁石等の磁性物を表面側から自由自在に吸着させることができ、内装・外装用建材として、壁面の損傷・消耗を伴うことなく紙類やシート類の壁面上一時固定ができる、磁性物吸着性板材を提供することが、本考案の課題である。
【０００６】
また本考案は、内装材として用いた場合に、磁石等の磁性物が不用意に離れて落下するような不具合が発生せず、安定的に固定可能な磁性物吸着性板材を提供すること、さらには、磁性物吸着機能以外の機能も兼ね備えた磁性物吸着性板材を提供することをも、課題とするものである。
【課題を解決するための手段】
【０００７】
本願考案者は上記課題について鋭意検討した結果、鉄粉等の磁性体を用いて、磁石の方を必要に応じて吸着させることのできる磁性物吸着シートを構成し、これに意匠材を接着することに基づいて上記各課題を解決できることを見出し、本考案に至った。すなわち、上記課題を解決するための手段として本願で実用新案登録請求される考案、もしくは少なくとも開示される考案は、以下の通りである。
【０００８】
（１）  ゴム製シート中に磁性体物質が分散されてなる磁性物吸着シートと、該磁性物吸着シートに接着された意匠材とからなり、該意匠材側から磁石を吸着可能であることを特徴とする、磁性物吸着性内外装材。
（２）  前記磁性物吸着シートは、前記磁性体物質が分散したゴム原料をシート状に成形、固化してなるものであることを特徴とする、（１）に記載の磁性物吸着性内外装材。
（３）  前記磁性体物質は、鉄またはこれを含む化合物であることを特徴とする、（１）または（２）に記載の磁性物吸着性内外装材。
（４）  前記意匠材は木製板、木製板以外の木質製板材、ビニール製クロスまたは紙製クロスのいずれかであることを特徴とする、（１）ないし（３）のいずれかに記載の磁性物吸着性内外装材。
【０００９】
（５）  前記意匠材は厚さが０．５ｍｍ以下であることを特徴とする、（１）ないし（４）のいずれかに記載の磁性物吸着性内外装材。
（６）  前記意匠材の表面には、光触媒が設けられていることを特徴とする、（１）ないし（５）のいずれかに記載の磁性物吸着性内外装材。
（７）  前記意匠材には、香料が含浸されているか、または香料により処理されていることを特徴とする、（１）ないし（６）のいずれかに記載の磁性物吸着性内外装材。
【００１０】
つまり、本考案の磁性物吸着性内外装材の典型的な例は、鉄粉や酸化鉄粉等の磁性体物質を分散させた合成ゴムその他のゴム原料（分散媒質）をシート状に成形、固化して得られる磁性物吸着シートのいずれかの面に、木質製板材、ビニール製クロスあるいは紙製クロスといった薄板状もしくはシート状の意匠材が接着されて構成されるものである。なお、本願において「ゴム原料」とは、成形、固化されてなるシートを得るための、天然ゴムもしくは合成ゴムのことをいう。
【００１１】
さらに本考案の磁性物吸着性内外装材には、その意匠材に光触媒層を設けたり、あるいは香料による処理を施したりしたものも含まれる。
【考案の効果】
【００１２】
本考案の磁性物吸着性内外装材は上述のように構成されるため、これによれば、磁石等の磁性物を表面側から自由自在に吸着させることができ、壁面の損傷・消耗を伴うことなく紙類やシート類の壁面上の一時固定可能な、内装・外装用建材を提供することができる。
【００１３】
また、意匠材の厚さを０．５ｍｍ以下とする本考案磁性物吸着性内外装材によれば、磁石等の磁性物が不用意に離れて落下するような不具合が発生せず、より一層安定的にこれらを固定することができる。
【００１４】
さらには、意匠材に光触媒層を設ける本考案磁性物吸着性内外装材によれば、これを用いた空間における空気中の有害物質の分解除去、脱臭といった空気清浄化効果や、防汚効果を得ることもできる。また、適宜の天然香料、合成香料を意匠材に含浸させたり、それらによる処理を施した本考案磁性物吸着性内外装材によれば、これを用いた空間に、目的に応じた香りを提供することができる。
【考案を実施するための最良の形態】
【００１５】
以下、本考案を図面により詳細に説明する。
図１−１は、本考案の磁性物吸着性内外装材を構成するための磁性物吸着シートの断面構成を示す模式図である。また、
図１−２は、本考案の磁性物吸着性内外装材の断面構成を示す模式図である。これらに図示するように本磁性物吸着性内外装材１００は、ゴム製シート中に磁性体物質１が分散されてなる磁性物吸着シート３に、意匠材２０が接着層（図示せず）を介して接着されていることを、基本的な構成とする。かかる構成により本磁性物吸着性内外装材１００では、意匠材２０側から磁石等の磁性物を吸着することが可能である。
【００１６】
図において磁性物吸着シート３は、磁性体物質１がゴム原料を分散媒質２としてその中に分散され、それをシート状に成形、固化することによって構成されるものである。
【００１７】
磁性体物質１としては、鉄またはこれを含む化合物を用いることができる。分散媒質２であるゴム原料に分散させるため、粉体、粒体の形態のものを好適に用いることができる。鉄化合物としては酸化鉄、特に砂鉄やＦｅ３Ｏ４を好適に用いることができる。
【００１８】
またゴム原料としては、天然ゴム、合成ゴムいずれも用いることができる。ここで、天然ゴムには塩素化ゴム等の改質ゴムも含まれる。また合成ゴムには、スチレン−ブタジエンゴム（ＳＢＲ）を始めとするジエン系ゴム、ウレタンゴム・シリコンゴム・フッ素ゴム・アクリルゴムその他の非ジエン系ゴム、いずれも含まれる。
【００１９】
かかる構成により、磁性物吸着材シート３においては、磁性体物質１の分散の均一化、安定化を図ることができる。また分散媒質２はゴムであるため、固化後でも可撓性および弾性を備えたものとすることができ、シートとしての取り扱い、加工性がよく、建築用材料としての施工性を高めることができる。
【００２０】
本磁性物吸着性内外装材１００の意匠材２０としては、木製単板、木製合板、木質チップを成形してなるパーティクルボード等の木質製板材、ビニール製クロス、あるいはまた紙製クロス等を適宜に用いることができるが、これらに限定されるものではなく、あらゆる表装材を意匠材２０として用いることができる。
【００２１】
本磁性物吸着性内外装材１００の意匠材２０は特に、その厚さを、０．５ｍｍ以下とすることが望ましい。磁性物吸着シート３の性能にもよるが、概ね０．５ｍｍ以下の厚さであれば、意匠材２０の表面における磁石等の吸着力を充分に発揮することができるからである。
【００２２】
図２は、本考案磁性物吸着性内外装材の別の構成例を示す、断面視の模式図である。図示するように本磁性物吸着性内外装材１０５は、意匠材２０５の表面に光触媒層４５が設けられた構成である。光触媒としては、入手可能なものを所定の方法にて意匠材２０５の表面に施工することができる。たとえば、いわゆる柱状結晶構造を備えた光触媒（アンデス電気（株）製、特開２００２−３７００２７、他）は分解性能が極めて優れており、好適に用いることができる。
【００２３】
このように光触媒層４５を設けた本内外装材１０５は、意匠材２０５に磁石等の磁性物を吸着させることができることに加え、上述の空気清浄化効果や防汚効果を発揮することができる。
【００２４】
また、本考案磁性物吸着性内外装材は、意匠材に香料を含浸させたものを用いたり、あるいはまた香料を意匠材の表面に塗布して固着させる等の処理を施したものとすることもできる。意匠材として、上述のように木製板等の液体浸透性のあるものを用いる場合は、香料をこれに含浸させればよい。ビニール製クロスのように内部への浸透性が特にない意匠材の場合は、適宜の方法によりその表面に付着させる処理を行えばよい。
【００２５】
香料の種類はもちろん限定されない。意匠材として木質製のものを用いる場合は、天然、合成を問わずヒノキチオール等の植物性の香料を用いることは、提供される外観意匠と香りとが良好に整合するため、推奨される。
【００２６】
＜実験例＞
本考案に係る磁性物吸着シートに、意匠材として厚さ０．４ｍｍの木製単板を接着して本考案の磁性物吸着性内外装材とした。意匠材側から、全体重量７．５ｇ、磁石部直径２０ｍｍの円形のカラーマグネット（市販）が、安定的に吸着、保持された。このカラーマグネットを用いて、磁性物吸着性内外装材に、Ａ４サイズのコピー用紙３枚（１２．５ｇ）の固定を試みたところ、安定的に保持することができ、本考案の効果が実証された。
【産業上の利用可能性】
【００２７】
本考案の磁性物吸着性内外装材によれば、磁石等の磁性物を表面側から自由自在に吸着させることができ、壁面の損傷・消耗を伴うことなく紙類やシート類の壁面上の一時固定可能な、内装・外装用建材を提供することができる。したがって、特に建築材料として利用価値が高い考案である。
【図面の簡単な説明】
【００２８】
【図１−１】本考案の磁性物吸着性内外装材を構成するための磁性物吸着シートの断面構成を示す模式図である。
【図１−２】本考案の磁性物吸着性内外装材の断面構成を示す模式図である。
【図２】本考案の磁性物吸着性内外装材の別の構成例を示す、断面視の模式図である。
【符号の説明】
【００２９】
１、１５…磁性体物質
２、２５…ゴム原料（分散媒質）
３、３５…磁性物吸着シート
２０、２０５…意匠材
４５…光触媒層
１００、１０５…磁性物吸着性内外装材
【図１−１】
0003131414.tif 000003
【図１−２】
0003131414.tif 000004
【図２】
0003131414.tif 000005